(57)【要約】      （修正有）【課題】血液濾過機能をもつ電化学検出シートであって、多層ポーラス性のろ過膜と親水層を積層することにより血液濾過、排気路形成の機能を達成する電化学検出シートを提供する。【解決手段】血液濾過機能を持つ電化学検出シートは、第一基板１０、電極系１１、反応パッド１２、第二基板１３、少なくとも一のろ過膜１４、親水層１５、第三基板１６、第四基板１７及び第五基板１８と、を備える。【選択図】図１Ａ
0003183678.tif 000002
【実用新案登録請求の範囲】
【請求項１】
血液濾過機能を持つ電化学検出シートであって、
第一表面と、前記第一表面と対向する第二表面とを有する第一基板と、
前記第一基板の第一表面に位置し、少なくとも作用電極及び参照電極を有する電極系と、
前記電極系を覆い、且つ少なくとも一の反応試料を塗布し、測定物流体が通過してろ過されてなるサンプルと接触して生物化学反応を生じる反応パッドと、
前記第一基板、電極系及び反応パッド表面上を覆い、前記反応パッドを露出する第一開口を有する第二基板と、
前記第二基板の前記第一開口の上方にあり且つ前記反応パッドを覆い、測定流体をろ過して測定流体をサンプルとするろ過膜と、
前記ろ過膜の上方を覆い、前記測定流体を濾過する親水層と、
前記親水層を覆い、前記第一開口の位置に対応する、前記親水層を露出し且つ前記親水層、前記ろ過膜及び前記反応パッドを同一位置に固定させる第二開口を有する第三基板と、
前記第三基板の上方を覆い、その一側面に前記第二開口の位置に対応し、測定流体が進入できるような内スリットを有する第四基板と、及び
前記第四基板を覆う第五基板と、を備えることを特徴とする、
血液濾過機能を持つ電化学検出シート。
【請求項２】
血液濾過機能を持つ電化学検出シートであって、
第一表面と、前記第一表面と対向する第二表面とを有する第一基板と、
前記第一基板の第一表面に位置し、少なくとも作用電極及び参照電極を有する電極系と、
前記電極系を覆い、且つ少なくとも一の反応試料を塗布し、測定物流体が通過してろ過されてなるサンプルと接触して生物化学反応を生じる反応パッドと、
前記第一基板、電極系及び反応パッド表面上を覆い、前記反応パッドを露出する第一開口を有する第二基板と、
少なくとも上ろ過膜と下ろ過膜を有し、前記下ろ過膜が反応パッドを覆って前記測定流体をろ過してサンプルとし、前記上ろ過膜が前記下ろ過膜を覆って前記測定流体をろ過するろ過膜システムと、
前記ろ過膜の上方を覆い、前記測定流体を濾過する親水層と、
前記親水層を覆い、前記第一開口に対応する位置に第二開口を有して前記親水層を露出し、且つ前記親水層、前記ろ過膜及び前記反応パッドを同じ位置上に固定する第三基板と、
前記第三基板の上方を覆い、その側面に前記第二開口に対応して位置する前記測定流体が進入できるような内スリットを有した第四基板と、
前記第四基板を覆う第五基板と、を備えることを特徴とする、
血液濾過機能を持つ電化学検出シート。
【考案の詳細な説明】
【技術分野】
【０００１】
本考案は、電化学検出シートに関し、特に使い捨て式血液ろ過、排気機能を持った電化学検出用シートに関する。
【背景技術】
【０００２】
医療の進歩に伴い、人間の平均寿命は次第に長くなっている一方、各種文明病もまた社会に普遍的に存在するようになっている。
世界保健機構（ＷＨＯ）の公布する報告によれば、癌、心血管疾病など非伝染性疾病が人類の健康に対する主な脅威となっており、その統計によれば、全世界で毎年約１，７００万人が心血管疾病で亡くなっている。また２０３０年には心血管疾病により死亡する人口は世界全体で２，５００万人に達すると予想されている。このほか、わが国の衛生署の統計によれば、国内におよそ１４５万人の心臓病患者がいる。
【０００３】
過去の研究では、コレステロールと心血管疾病に密接な関係があることが示されている。血液中のコレステロール指数の上昇又は降下が疾病の予防又はコントロールにいずれもかなり重要な意味を持つ。
これまで血中コレステロールを検査する方法としては、「光学定量法」、「クロマトグラフィー定量法（層析）」などがあり、いずれも長いテスト時間が必要で、且つ前者はヘモグロビンの遮蔽効果の干渉を受けやすく、後者は半定量式で、操作方法が複雑且つ結果の判定が困難であった。
【０００４】
在宅検査機器の普及により、各種に対応する検出シートが発達し、その内、コレステロール検出シートも主な商品の一つである。これまでは電化学分析法（ｅｌｅｃｔｒｏｃｈｅｍｉｃａｌ  Ａｎａｌｙｓｉｓ）原理とろ紙により赤血球をろ過する方法を組合わせていたが、その構造は複雑であった。また、そのプロセスも煩雑であり、且つろ紙による赤血球ろ過の過程に排気管路を提供しなければ、血液を効率よく指定反応領域へ搬送することができないため、ガスを逃がす径路を設置して排気する必要があり、コストが上昇していた。そのため、血液濾過及び排気機能をもち、構造を簡略化した検出シートは、この分野の当業者が解決したい課題であった。
【考案の概要】
【考案が解決しようとする課題】
【０００５】
従って、本考案の主な目的は血液濾過機能をもつ電化学検出シートであって、多層ポーラス性のろ過膜と親水層を積層することにより血液濾過、排気路形成の機能を達成する電化学検出シートを提供することである。
血液がろ過膜と親水層を経由すると血球がろ過され、且つガス（気体）は左右両側に形成された孔から排気する。
【０００６】
本考案の別の目的は、血液濾過機能をもつ電化学検出シートであって、ろ過膜に特異性機能を持つ試料を塗布し、該試料がサンプル中の非測定物と生物化学反応をすることで、スクリーニング機能を達成し、低密度リポプロテインコレステロール（ＬＤＬ）及び高密度リポプロテインコレステロール（ＨＤＬ）を検出する電化学検出シートを提供することである。
【０００７】
本考案の別の目的は、血液濾過機能をもつ電化学検出シートであって、冶具でシート前端をはさみ、冶具により検出シートを固定して所定の血液体積を吸収する機能を有する血液濾過機能をもつ電化学検出シートを提供することである。
【０００８】
本考案のまた別の目的は、血液濾過機能を持つ電化学検出シートであって、反応パッドに特異性を有する、例えばコレストロール反応試料などの反応試料を塗布したシートを提供し、反応パッドが立体構造をもつため、特異性を持つ反応試料を塗布すると、反応試料と測定物との間の接触頻度が増加し、反応シグナルを増強することができる血液濾過機能をもつ電化学検出シートを提供することである。
【０００９】
本考案の更に別の目的は、血液濾過機能を持つ電化学検出シートであって、多層のポーラス（多孔）性ろ過膜及び親水層を積層することで排気作用を達成し、別に排気路を設ける必要がないため、製造コストを低減することができる血液濾過機能をもつ電化学検出シートを提供することである。
【課題を解決するための手段】
【００１０】
上記の目的に鑑み、本考案は、血液濾過機能を持つ電化学検出シートであって、第一表面と、前記第一表面と対向する第二表面とを有する第一基板と、前記第一基板の第一表面に位置し、少なくとも作用電極及び参照電極を有する電極系と、前記電極系を覆い、且つ少なくとも一種の反応試料を塗布し、測定物流体が通過してろ過されて形成するサンプルと接触して生物化学反応を生じる反応パッドと、前記第一基板、電極系及び反応パッド表面上を覆い、前記反応パッドを露出する第一開口を有する第二基板と、前記第二基板の第一開口の上方にあり且つ前記反応パッドを覆い、測定流体をろ過して測定流体をサンプルとせしめるろ過膜と、前記ろ過膜の上方を覆い、測定流体を濾過する親水層と、前記親水層を覆い、前記第一開口の位置に対応する、親水層を露出し且つ親水層、ろ過膜及び反応パッドを同一位置に固定させる第二開口を有する第三基板と、前記第三基板の上方を覆い、その側面の前記第二開口に対応する位置に、測定流体が進入できるような内スリットを有する第四基板と、及び前記第四基板を覆う第五基板と、を備える。
【００１１】
次に、本考案は血液濾過機能を持つ電化学検出シートであって、第一表面と、前記第一表面と対向する第二表面とを有する第一基板と、前記第一基板の第一表面に位置し、少なくとも作用電極及び参照電極を有する電極系と、前記電極系を覆い、且つ少なくとも一の反応試料を塗布し、測定物流体が通過してろ過されて形成するサンプルと接触して生物化学反応を生じる反応パッドと、前記第一基板、電極系及び反応パッド表面上を覆い、前記反応パッドを露出する第一開口を有する第二基板と、少なくとも一の上ろ過膜と下ろ過膜を有し、下ろ過膜が反応パッドを覆って測定流体をろ過して測定流体をサンプルとし、上ろ過膜が下ろ過膜を覆って測定流体をろ過するろ過膜システムと、親水層を覆い、前記第一開口に対応する位置に第二開口を有して親水層を露出し、且つ親水層、ろ過膜及び反応パッドを同じ位置上に固定する第三基板と、前記第三基板の上方を覆い、その側面の前記第二開口に対応する位置に測定流体が進入できるように内スリットを有した第四基板と、前記第四基板を覆う第五基板と、を備える血液濾過機能を持つ電化学検出シートを提供する。
【考案の効果】
【００１２】
本考案は次の特徴を備える。
１．検出シートが血液濾過機能を有する。
２．検出シートがスクリーニング機能を有し、且つ更に低密度リポプロテインコレステロール又は高密度リポプロテインコレステロールを検出できる。
３．検出シートが血中総コレステロールを検出する。
４．検出シートが排気機能を有する。
５．検出シートの排気作用は自然形成されるもので、別途排気路を設ける必要がなく、コストを低減できる。
【００１３】
以上、本考案の目的、特徴と実施例をより明確にするため、図面について次のとおり説明する。
【図面の簡単な説明】
【００１４】
【図１Ａ】本考案の第一実施例である血液濾過機能を持つ電化学検出シートの各部材を示す透視図。
【図１Ｂ】本考案の第一実施例である血液濾過機能を持つ電化学検出シートの全体を示す平面図。
【図１Ｃ】本考案の血液濾過機能を持つ電化学検出シートの測定流体のろ過及びスクリーニングを示す断面図。
【図２Ａ】本考案の第二実施例である血液濾過機能を持つ電化学検出シートの各部材を示す透視図。
【図２Ｂ】本考案の第二実施例である血液濾過機能を持つ電化学検出シートの全体を示す平面図。
【図３Ａ】本考案の第三実施例である血液濾過機能を持つ電化学検出シートの各部材を示す透視図。
【図３Ｂ】本考案の第三実施例である血液濾過機能を持つ電化学検出シートの全体を示す平面図。
【図３Ｃ】本考案の第三実施例である血液濾過機能を持つ電化学検出シートの測定流体のろ過及びスクリーニングを示す断面図。
【考案を実施するための形態】
【００１５】
ここで開示する本考案の実施例は本考案の例示であって、その他の等価の変更形式で実施されてもよい。また、本考案の以下で参照する図面は、本考案の特徴に係る略図を示すもので、本考案のよりよい実施例の補足説明をするものであり、本考案が保護をしようとする権利範囲は、後続の実用新案登録請求の範囲を基準とする。
【００１６】
本考案は、血液濾過機能を持つ電化学検出シートであって、多層の多孔性を持つろ過膜と親水性をもつ親水層を積層することで検出シートが血液濾過機能と排気機能を自然に形成することを特徴とする。
また、試料または反応試料をろ過膜又は反応パッド上に塗布することで、検出シートがスクリーニング機能を有し、更に低密度リポプロテインコレステロール、高密度リポプロテインコレステロール、又は総コレステロールを検出する。このほか、別途排気径路を設ける必要が無く、コストを低減することができる。
【００１７】
上記の技術内容、特徴、効果について、図を参照しながら本考案のより好ましい実施例を以下に明確に示す。
【００１８】
下記の定義により、本明細書で使用している用語の意義を明らかにする。
【００１９】
「ガスを逃す」、「排気作用」若しくは類似の用語は、測定流体が電化学検出シートの入口に進入し、毛細管作用により流体が各層の多孔ろ過膜または親水層へ導入されて反応領域に達すると、ろ過膜や親水膜が多孔性の材質であるために、各層が互いに貼り合わさることなく、測定流体における余分なガスが各層間の穴隙及び各層間の隙間から逃れ、電化学検出シートが迅速にサンプルを吸収し且つ検出の精度に影響しないことを指す。
【００２０】
「測定流体」若しくは類似の用語は、ここでは全血液若しくは非測定物を除去していない血液の検出を指す。
【００２１】
「サンプル」若しくは類似の用語は、ここでは非測定物を除去した血液で、反応試料と生物化学反応を起こす血液を指す。サンプル成分は、低密度リポプロテインコレステロール、高密度リポプロテインコレステロール、又は総コレステロールなどである。
【００２２】
「参照電極」若しくは類似の用語は、ここでは、安定性と再現性をもつ電極電位を有する電極を指す。これを基準としてその他電極の電位を測定する。標準電位を提供し、電位が測定システムの組成や濃度の変化に左右されない電極である。通常使用する参照電極は、水素電極、カロメル電極（ＳＨＥ）、Ａｇ／ＡｇＣｌ、Ｈｇ／Ｈｇ２Ｃｌ２電極で、特にカロメル電極が最もよく使われる。
【００２３】
「作用電極」若しくは類似の用語は、ここでは電化学検出シートの検出過程で、より大きな電流が通過した際に、試料主体濃度に明らかな変化を示す電極を指し、この電極は陰極又は陽極に限定されない。この電極により生じる反応をみると、電極が酸化反応を起こすときが陽極、逆に還元反応を起こすときが陰極である。
【００２４】
図１Ａ〜１Ｃは、本考案の第一実施例である血液濾過機能をもつ電化学検出シート２を示す。図１Ａは、血液濾過機能を持つ電化学検出シート２が、第一基板１０、電極系１１、反応パッド１２、第二基板１３、少なくとも一のろ過膜１４、親水層１５、第三基板１６、第四基板１７及び第五基板１８を含むことを示している。
【００２５】
第一基板１０は、第一表面１０１と、第一表面１０１と対向する第二表面１０２と、第一表面１０１上に位置する電極系１１を有し、電極系１１は作用電極１１１、参照電極１１２を含む。
電極系１１の上層は、ガラス繊維又は綿質繊維などの材料からなり、厚さは０．１〜０．３ｍｍの範囲、孔径が０．２〜１μｍの反応パッド１２が覆う。反応パッド１２は立体構造を有するので、特異性反応試料を塗布すると、反応試料と測定したサンプルとの間の接触確率が増加され、反応シグナルが増強される。
反応パッド１２が置かれる位置を反応領域と称する。反応パッド１２内には少なくとも一の反応試料を含んで、サンプルと接触して生物化学反応を起こす。本実施例において使用する反応試料はコレステロール作用に用いる。
【００２６】
第二基板１３は、第一基板１０、電極系１１及び反応パッド１２の表面上を被覆し、第二基板１３上に第一開口１３１が設けられて、反応領域の反応パッド１２を露出する。つまり、第一開口１３１の大きさは、反応パッド１２の大部分の領域を露出できる大きさである。
反応パッド１２上は少なくとも一層のろ過膜１４で被覆される。ろ過膜１４は測定流体を濾過してこれをサンプルとする。ろ過膜１４の材質はガラス繊維や綿質の繊維で、厚さは０．３〜０．５ｍｍの範囲、孔径が０．５〜２μｍの範囲である。親水層１５は濾過膜１４の上を被覆して、測定流体を濾過する。
【００２７】
第三基板１６は親水層１５上を被覆して、親水層１５、ろ過膜１４、反応パッド１２の位置を反応領域上方に固定し、第三基板１６は第一開口１３１に対応する位置に第二開口１６１を有して親水層１５を露出する。
第三基板１６上方は第四基板１７が被覆し、その辺縁に一の内スリット１７１を備える。この内スリット１７１の位置は第二開口１６１に対応して測定流体の入り口となり、測定流体の体積を定量する機能を持つ。
第四基板１７の上方は第五基板１８が被覆し、全体が図１Ｂで示すような血液濾過機能を持つ電化学検出シート２となる。
【００２８】
図１Ｃは図１Ｂの断面線Ａ−Ａに沿って描いた血液濾過機能を持つ電化学検出シート２の断面図であり、下から上に順に、第一基板１０、反応パッド１２、第二基板１３、ろ過膜１４、親水層１５、第三基板１６、第四基板１７と第五基板１８を示す。
測定流体（図示せず）は第四基板１７の内凹型スリット１７１からシートに進入し、毛細管作用により測定流体をガイドして、Ｗ１の方向に沿ってシート内側へ移動させ、第二開口１６１まで至るとＷ２の方向に沿って下へ移動する。測定流体は各層を経由して濾過され、サンプルとなって反応パッド１２へ到達し、反応試料と接触して生物化学反応を起こす。
ろ過の過程において、ろ過膜１４、親水層１５と反応パッド１２は多孔性材質であるから各層間を封止することなく、測定流体がＷ２方向に沿って移動すると、測定流体中の余分なガスが各層間の穴隙と各層間の間隙から逃がれ、自然に排気作用を生じる。
【００２９】
図２Ａ、２Ｂは、本考案の第二実施例である、血液濾過機能を持つ電化学検出シート３であって、第一基板３０、電極系３１、反応パッド３２、第二基板３３、少なくとも一のろ過膜３４、親水層３５、第三基板３６、第四基板３７、第五基板３８及び固定バサミ３９を備える。
【００３０】
図２Ａをみると、本実施例の血液濾過機能を持つ電化学検出シート３の各部材の排列方式は、上記第一実施例と同じであり、第一基板３０は、第一表面３０１と、第一表面３０１と対向する第二表面３０２と、第一表面３０１上に位置する電極系３１を有し、電極系３１は作用電極３１１、参照電極３１２を含む。
電極系３１の上層は、ガラス繊維又は綿質繊維などの材料からなり、厚さは０．１〜０．３ｍｍの範囲、孔径が０．２〜１μｍの反応パッド３２が覆う。反応パッド３２は立体構造を有するので、特異性反応試料を塗布すると、反応試料と測定するサンプルとの間の接触確率が増加され、反応シグナルが増強される。反応パッド３２が置かれる位置を反応領域と称する。
反応パッド３２内には少なくとも一の反応試料を含んで、ひとつのサンプルと接触して生物化学反応を起こす。本実施例において使用する反応試料はコレステロール作用に用いる。
【００３１】
第二基板３３は、第一基板３０、電極系３１及び反応パッド３２の表面上を被覆し、第二基板３３上に第一開口３３１が設けられて、反応領域の反応パッド３２を露出する。つまり、第一開口３３１の大きさは、反応パッド３２の大部分の領域を露出できる大きさである。
反応パッド３２上は少なくとも一層のろ過膜３４で被覆される。ろ過膜３４は測定流体を濾過してこれをサンプルとする。ろ過膜３４の材質はガラス繊維や綿質の繊維で、厚さは０．３〜０．５ｍｍの範囲、孔径が０．５〜２μｍの範囲である。親水層３５は濾過膜３４の上を被覆して、測定流体を濾過する。
【００３２】
第三基板３６は、親水層３５上を覆って親水層３５、ろ過膜３４、反応パッド３２の位置を反応領域上方に固定する。第三基板３６は第一開口３３１に対応する位置に第二開口３６１を有して親水層３５を露出する。
第三基板３６上方は第四基板３７が覆い、その辺縁の前記第二開口３６１に対応する位置に内スリット３７１を備え、測定流体の入り口となり、測定流体の体積を定量する機能を有する。第四基板３７上方は第五基板３８が覆っている。
【００３３】
このほか、固定バサミ３９は血液濾過機能を持つ電化学検出シート３上を嵌められる。固定バサミ３９は平面３９１と平面３９１の四隅から上に突出した複数の固定爪３９２を供える。
平面３９１と第一基板３０の第二表面３０２が接触すると同時に、複数の固定爪３９２が第五基板３８に係止して固定バサミ３９が血液濾過機能を持つ電化学検出シート３の反応領域端を覆う。固定バサミ３９は吸入された測定流体の体積を所定の固定値にすることができる。従って、形成された血液濾過機能を持つ電化学検出シート３の全体は図２Ｂに示すようになる。
【００３４】
次に、図３Ａ〜３Ｃをみると、本考案の第三実施例である血液濾過機能を持つ電化学検出シート５は、第一基板４０、電極系４１、反応パッド４２、第二基板４３、ろ過膜システム４４、親水層４５、第三基板４６、第四基板４７と第五基板４８を備える。
【００３５】
第一基板４０は第一表面４０１と、前記第一表面４０１と対向する第二表面４０２、前記第一表面４０１上に位置する作用電極４１１及び参照電極４１２を含む電極系４１、電極系４１上層を覆うガラス繊維または綿質繊維からなり、厚さが０．１〜０．３ｍｍの範囲、孔径が２０〜１００μｍの範囲である反応パッド４２を含む。
反応パッド４２は立体構造であるから、特異性を持つ反応試料を塗布すると、反応試料とサンプルとの間の衝突確率が増加することで反応シグナルを増強することができる。反応パッド４２が置かれる位置を反応領域と称す。
反応パッド４２内には少なくとも一の反応試料が含まれ、サンプルと接触して生物化学反応を起こす。本実施例における反応試料はコレステロール作用に用いられる。
【００３６】
第二基板４３は第一基板４０、電極系４１と反応パッド４２の表面上を覆い、第二基板４３上には第一開口４３１を有して反応領域の反応パッド４２を露出する。つまり、第一開口４３１の大きさは、反応パッド４２の大部分を露出できる大きさである。反応パッド４２上は濾過膜システム４４が覆い、測定流体を濾過して上記サンプルとする。
ろ過膜システム４４は少なくとも上ろ過膜４４２と下ろ過膜４４１とを含み、下ろ過膜４４１は反応パッド４２上を覆い、任意で第一試料を塗布する。下ろ過膜４４１の材質はガラス繊維又は綿質繊維であって、厚さは０．３〜０．５ｍｍの範囲内、孔径が５０〜２００マイクロｍの範囲である。
上ろ過膜４４２は下ろ過膜４４１上を覆い、第二試料を塗布する。上ろ過膜４４２の材質はガラス繊維又は綿質繊維であって、厚さは０．１〜０．５ｍｍの範囲、孔径が１０〜３０μｍの範囲である。親水層４５は上ろ過膜４４２上を覆い、測定流体を濾過する。
【００３７】
第三基板４６は親水層４５上を覆い、親水層４５、ろ過膜システム４４、反応パッド４２の位置を反応領域上方に固定する。
第三基板４６の第一開口４３１に対応する位置に第二開口４６１を有し、親水層４５を露出する。第三基板４６上方は第四基板４７が覆い、その辺縁の前記第二開口４６１に対応する位置に内スリット４７１を備え、測定流体の入り口となり、測定流体の体積を定量する機能を有する。
第四基板４７の上方を第五基板４８が覆い、全体は図３Ｂに示すような血液濾過機能を持つ電化学検出シート５となる。
【００３８】
図３Ｃは図３Ｂの断面線Ｂ−Ｂに沿って描いた血液濾過機能を持つ電化学検出シート５の断面図であり、下から上へ順に、第一基板４０、反応パッド４２、第二基板４３、ろ過膜システム４４（下ろ過膜４４１、上ろ過膜４４２を含む）、親水層４５、第三基板４６、第四基板４７と第五基板４８を示す。
測定流体（図示せず）は第四基板４７の内スリット４７１からシートに進入して毛細管作用により測定流体をガイドし、Ｗ３の方向に沿ってシートの内側に移動して第二開口４６１に到達するとＷ４方向に沿って下向きに移動する。測定流体は各層を経由してろ過されサンプルとなって反応パッド４２に至り、反応しようと接触して生物化学反応を起こす。
ろ過の過程において、ろ過膜システム４４、親水層４５と反応パッド４２は多孔性材料であり、且つ各層間を封止することなく、測定流体中の余分なガスが各層間の穴隙と各層間の間隙から逃げ、自然に排気作用を起こす。
【００３９】
このほか、本実施例の血液濾過機能を持つ電化学検出シート５は、必要に応じて図２Ａ，２Ｂに示すような固定バサミ３９を設置してもよい。固定バサミ３９は血液濾過機能を持つ電化学検出シート５上に嵌めこまれ、吸収した測定流体の体積を固定する。
【００４０】
本考案の第三実施例である血液濾過機能を持つ電化学検出シート５を高密度リポプロテインコレステロール（ＨＤＬ）の検出シートとする場合は、下ろ過膜４４１に第一試料を塗布する必要はなく、上ろ過膜４４２に塗布して、非高密度リポプロテインコレステロール（ｎｏｎ−ＨＤＬ）が沈殿する際の界面活性試料とする。
【００４１】
本考案の第三実施例である血液濾過機能を持つ電化学検出シート５を低密度リポプロテインコレステロール（ＬＤＬ）の検出シートとする場合は、下ろ過膜４４１に低密度リポプロテインコレステロールに対し特異性のある界面活性試料を塗布して、低密度リポプロテインコレステロールのたんぱく質構造を展開する。また上ろ過膜４４２は非低密度リポプロテインコレステロール（ｎｏｎ−ＬＤＬ）を包囲する界面活性試料を塗布する。
【００４２】
本考案の血液濾過機能を持つ電化学検出シートの特徴は次のとおりである。
１．検出シートが血液濾過機能を有する。
２．検出シートがスクリーニング機能を有し、且つ更に低密度リポプロテインコレステロール又は高密度リポプロテインコレステロールを検出できる。
３．検出シートが血中総コレステロールを検出する。
４．検出シートが排気機能を有する。
５．検出シートの排気作用は自然形成されるもので、別途排気路を設ける必要がなく、コストを低減できる。
【００４３】
以上、本考案の実施例を図面を参照して詳述してきたが、本考案の血液濾過機能を持つ電化学検出シートは、この実施例に限られるものではなく、本考案の要旨を逸脱しない範囲の設計変更等も、本考案に含まれる。    
【符号の説明】
【００４４】
血液濾過機能を持つ電化学検出シート  ２、３、５
第一基板        １０、３０、４０
第一表面        １０１、３０１、４０１
第二表面        １０２、３０２、４０２
電極系          １１、３１、４１
作用電極        １１１、３１１、４１１
参照電極        １１２、３１２、４１２
反応パッド      １２、３２、４２          
第二基板        １３、３３、４３
第一開口        １３１、３３１、４３１
ろ過膜          １４、３４
ろ過膜システム  ４４
上ろ過膜        ４４２
下ろ過膜        ４４１
親水層          １５、３５、４５
第三基板        １６、３６、４６
第二開口        １６１、３６１、４６１
第四基板        １７、３７、４７
内スリット      １７１、３７１、４７１
第五基板        １８、３８、４８
固定バサミ      ３９
平面            ３９１
固定爪          ３９２
測定流体方向    Ｗ１、Ｗ２、Ｗ３、Ｗ４
【図１Ａ】
0003183678.tif 000003
【図１Ｂ】
0003183678.tif 000004
【図１Ｃ】
0003183678.tif 000005
【図２Ａ】
0003183678.tif 000006
【図２Ｂ】
0003183678.tif 000007
【図３Ａ】
0003183678.tif 000008
【図３Ｂ】
0003183678.tif 000009
【図３Ｃ】
0003183678.tif 000010